(57)【特許請求の範囲】
【請求項１】
躯体間のジョイント取付空間内に、気密シートと、該気密シートの外側に位置し、その一部が躯体に沿う断面略Ｚ形をなす取付金具の端部に取り付けられ、前記取付空間の奥部に位置させた耐火帯と、前記気密シートを略Ｕ字形に保形させるように、シート長手方向に所定間隔をあけて、前記気密シートに沿わせた第１の弾性保形材と、前記取付金具の先端に取り付けられ、その一部で前記耐火帯の外側面を対向する躯体面に当接するように、前記耐火帯を内面から押し広げつつ、該耐火帯の断面形状を略Ｕ字形に保形させるように、前記気密シートと耐火帯との間に湾曲させて設けられた第２の弾性保形材とを備え、前記躯体間のクリアランスをエキスパンションジョイントカバーで覆うようにしたことを特徴とするクリーンルーム用エキスパンションジョイント。
【請求項２】
躯体間のクリアランス幅に相当する幅を有する樋状のＵ字形部と、該Ｕ字形部の両側に一体的に連接されたフランジとが直交して接合された形状からなる、薄鋼板を芯材として、その両面がゴム被覆シートで被覆されたコーナージョイント部材を、開口部のコーナー部に設置し、前記コーナージョイント部材の長手方向端部に所定のラップ長を確保して、該コーナージョイント部材と、前記躯体間のクリアランス部に設けられた、前記第１の弾性保形材で保形された前記気密シートの端部とを接合したことを特徴とする請求項１に記載のクリーンルーム用エキスパンションジョイント。
【発明の詳細な説明】
【０００１】
【発明の属する技術分野】
本発明はクリーンルーム用エキスパンションジョイントに係り、施工が容易で高い気密性を保持できるようにしたクリーンルーム用エキスパンションジョイントに関する。
【従来の技術】
従来のエキスパンションジョイントでは、その用途、仕様、設置個所に応じて躯体間のクリアランスを覆うエキスパンションジョイントカバーと、所定の変位量に追従可能な止水板や耐火帯がジョイント取付空間内に設けられている。特に躯体間を連結する開口部等にエキスパンションジョイントを設ける場合には、床、壁、天井を連絡するコーナー部において３次元変位に追従するようなジョイント部が形成されている。
【０００２】
【発明が解決しようとする課題】
ところで、高い気密性を要求されるクリーンルームに用いられるエキスパンションジョイントでは、その適合すべき規格に応じて止水板、耐火帯等に加えて、遮音性能を保持するための遮音シートが躯体間に設置される。この止水板は、合成樹脂製のガスケットが、また、遮音シートには鉛、ＥＰＴ、軟質塩ビ製品のシートなどが使用されていた。従来技術の納まりや材質では気密性を保持することは難しく、特にコーナー部の施工に問題がある。従来、コーナー部の接合作業は、現場において寸法を合わせて塩化ビニル系接着剤とを用いて接着する方法をとっていた。このため、現場作業が煩雑となる上、気密性の保持にも懸念があった。
【０００３】
また、壁、天井に耐火帯、気密シートが施工される場合、いずれの材料も保形性がないため、取り付けられた状態で自由に変形することができる。このため、耐火帯が変形した際に、気密シートが耐火帯材料に押されてエキスパンションジョイントカバーの金物等に触れると、気密シートが破損するおそれもある。
【０００４】
そこで、本発明の目的は上述した従来の技術が有する問題点を解消し、エキスパンションジョイント部分に取り付けが容易で、躯体間に発生した変位に追従可能で、気密性を保持するためにその形状を保持することができるようにしたクリーンルーム用エキスパンションジョイントを提供することにある。
【０００５】
【課題を解決するための手段】
上記目的を達成するために、本発明は  躯体間のジョイント取付空間内に、気密シートと、該気密シートの外側に位置し、その一部が躯体に沿う断面略Ｚ形をなす取付金具の端部に取り付けられ、前記取付空間の奥部に位置させた耐火帯と、前記気密シートを略Ｕ字形に保形させるように、シート長手方向に所定間隔をあけて、前記気密シートに沿わせた第１の弾性保形材と、前記取付金具の先端に取り付けられ、その一部で前記耐火帯の外側面を対向する躯体面に当接するように、前記耐火帯を内面から押し広げつつ、該耐火帯の断面形状を略Ｕ字形に保形させるように、前記気密シートと耐火帯との間に湾曲させて設けられた第２の弾性保形材とを備え、前記躯体間のクリアランスをエキスパンションジョイントカバーで覆うようにしたことを特徴とする。
【０００７】
このとき、前記弾性保形材は、ポリカーボネート板とすることが好ましい。
【０００８】
上述のエキスパンションジョイントをコーナー部に使用する場合、躯体間のクリアランス幅に相当する幅を有する樋状のＵ字形部と、該Ｕ字形部の両側に一体的に連接されたフランジとが直交して接合された形状からなる、薄鋼板を芯材として、その両面がゴム被覆シートで被覆されたコーナージョイント部材を、開口部のコーナー部に設置し、前記コーナージョイント部材の長手方向端部に所定のラップ長を確保して、該コーナージョイント部材と、前記躯体間のクリアランス部に設けられた、前記第１の弾性保形材で保形された前記気密シートの端部とを接合することが好ましい。
【０００９】
【発明の実施の形態】
以下、本発明のクリーンルーム用エキスパンションジョイントの一実施の形態について、添付図面を参照して説明する。
【００１０】
図１は、本発明のエキスパンションジョイントのうち、壁、天井に適用するタイプを示した断面図である。図２は、壁部分に取り付けられたエキスパンションジョイントを上方から示した概略斜視図である。
エキスパンションジョイント１の構成について、図１を参照して説明する。隣接する躯体コンクリート２のそれぞれの端面から延設された面板３の端部には軽量溝形鋼の下地材４に保持された角形管の縁材５が取り付けられている。さらに縁材５を端部として、パーティクルボード等の２枚の壁板材６，６が所定幅の段差７が生じるように重ねて貼り付けられている。この段差部７が上述するエキスパンションジョイントカバー２５の取付部となる。
【００１１】
所定のクリアランスを有するジョイント取付空間１０の奥部には解放側が表側となるように配置された略Ｕ字形をなす耐火帯１１が取り付けられている。この耐火帯１１としては、たとえば１時間耐火に適合させるにはアルミナセラミックブラケット（厚さ１２．５mm）等が使用される。この耐火帯１１の壁延長方向に沿った両端には略Ｚ字形をなす取付金物１３が取り付けており、この取付金物１３を取り付けた状態で耐火帯１１をジョイント取付空間１０内に収容し、取付金物１３を段差部７に図示しない皿ネジで固定するようになっている。
【００１２】
また、図１には、耐火帯１１の内面側において、同様にＵ字形に弾性変形された帯板状の保形板１５が示されている。この保形板１５は本実施の形態では、幅２０mmの樹脂製の帯板からなり、壁延長方向に対して４５０mm間隔で、耐火帯１１の内側に配設されている。保形板１５は図１に示した状態で、Ｕ字形に板バネ状に湾曲させた状態にあり、保形板１５の側面の一部１５ａは耐火帯１１を外側に押し広げるように耐火帯１１の内面に当接している。このため、耐火帯１１は両側の外側面１１ａがジョイント取付空間１０の面板３に密着している。また、保形板１５の湾曲頂点は耐火帯１１の中央位置の内面に当接している。この保形板１５の材料として本実施の形態では、ポリカーボネートが用いられているが、自己消火性を有する他のエンジニアリングプラスチックと呼ばれる樹脂材料、たとえばポリアセタール（ＰＯＭ）、ポリフェニレンエーテル（変性ＰＰＥ）等を使用することもできる。その配置ピッチ、板寸法も、クリアランス幅、耐火帯１１の仕様等に応じて適宜設定することができる。
【００１３】
さらに、耐火帯１１の表側にはＵ字形をなす気密シート２０が取り付けられている。この気密シート２０は、本実施の形態では、厚さ４mmの加硫ゴム製からなる。その他の材質としてクロロプレンゴムが好適である。シート端部は段差部７に取り付けられた取付金物１３と押え板２２間に挟持されている。この気密シート２０は柔軟シートであるため、本来、形状が保持されない。そこで、気密シート２０をＵ字形に保形する保形板２１が、耐火帯１１の保形板１５と同等のピッチで気密シート２０の内側に取り付けられている。保形板２１の端部は気密シート２０の端部とともに取付金物１３と押え板２２間に挟持され固定されている。押え板２２の上面には厚さ調整のためのアルミニウム製押え金物２３が取り付けられている。さらにクリアランス部分及び押え金物２３の全体を覆うように、公知のエキスパンションジョイントカバー２５がアンカープラグ２６によって固定されている。
【００１４】
図２は、図１に示したエキスパンションジョイントを屋根部分に適用した実施の形態を示した斜視図である。隣接した躯体５１，５２間のジョイント取付空間１０には上述したエキスパンションジョイント１が取り付けられている。このとき、所定のクリアランスをとって隣接する既存建物５１及び新設建物５２の外壁を覆う角波板５３の背面の空間には発泡ウレタン樹脂５４が密実に注入されている。このエキスパンションジョイント１は、図示したように耐火帯１１及び気密シート２０にそれぞれ設けられた保形板１５，２１の板バネ作用により略Ｕ字形に保持されている。なお、上方の屋根笠木（図示せず）部分で雨水等が遮断されているため、エキスパンションジョイント１には止水板は設置されていない。
【００１５】
図３は、他の実施の形態として、床間のクリアランス部分に設置されたエキスパンションジョイント１を示した断面図である。床コンクリート２の端部に取り付けられた角形管の縁材５に、耐火帯１１が取付金物１３を介して取り付けられている。この耐火帯１１は通常時に下方に凸状となるため、壁、天井（屋根）の場合と異なり、保形板は取り付けられていない。そして耐火帯１１の上側に気密シート２０が取り付けられている。この気密シート２０には、シート長手方向に所定間隔をあけて保形板２９が沿わされている。この保形板２９により気密シート２０は略Ｕ字形状が保持されている。さらにこの気密シート２０とジョイント取付空間１０とを覆うようにして公知形状のエキスパンションジョイントカバー２５がアンカープラグ２６によって取り付けられている。
【００１６】
次に、上述した壁と床、壁と天井（屋根）とのコーナー部の取り合いに用いるジョイントの構成について図４、図５を参照して説明する。
図４は、気密シート２０をコーナー部で接合するコーナージョイント部材３０を示した斜視図である。コーナージョイント部材３０は、クリアランス幅に相当する幅を有する樋状のＵ字形部３１と、Ｕ字形部３１に連接されたフランジ３２とが直交するように接合された一体加工品である。コーナージョイント部材３０には気密シート２０を構成する厚さ４mmの加硫ゴム製の被覆シート３４に芯材として厚さ３mmの薄鋼板３３を積層した積層板が用いられている。
【００１７】
図５は、コーナー部にコーナージョイント部材が用いられた開口部５５まわりを示した斜視図である。図中、説明のためにエキスパンションジョイントカバーは取り除いて示されている。開口部５５の床、壁及び天井のそれぞれの四隅のコーナー部にコーナージョイント部材３０が取り付けられている。そしてこのコーナージョイント部材３０の端部に所定のラップ長を確保して気密シート（図示せず）が接続される。さらに耐火帯１１もコーナー部では所定の取り合い形状に仕上げられており、接合箇所には熱膨張性パテが使用されている。壁部分の耐火帯１１の内面には上述したように、保形材１５が配設されており、耐火帯１１が壁に沿って立ち上がるように設置された際に、耐火帯１１の略Ｕ字形状が保持されるようになっている。この場合にも保形材１５としてポリカーボネート製板材が好適で、保形材１５にシートを接するように乗せるだけでよい。また、保形材１５の端部は板材を湾曲させた際のアーチアクションで固定され、この状態で耐火帯、気密シートを保形することができる。
【００１８】
【発明の効果】
以上に述べたように、エキスパンションジョイント部分に取り付けられる耐火帯及び気密シートの形状を保形することによりエキスパンションジョイントでの変形に際して部材の破損等が防止でき、またコーナー部においてジョイント部材を採用することにより開口部における気密性の保持を図ることができるという効果を奏する。
【図面の簡単な説明】
【図１】本発明によるクリーンルーム用エキスパンションジョイント（壁）の一実施の形態を示した部分断面図。
【図２】本発明のクリーンルーム用エキスパンションジョイントを屋根に適用した例を示した斜視図。
【図３】本発明によるクリーンルーム用エキスパンションジョイント（床）の一実施の形態を示した部分断面図。
【図４】コーナージョイント部材を示した概略斜視図。
【図５】開口部におけるコーナージョイント部材、気密シートおよび耐火帯の設置状態を部分的に切り欠いて示した部分斜視図。
【符号の説明】
１  エキスパンションジョイント
２  躯体
５  縁材
１０  ジョイント取付空間
１１  耐火帯
１５，２１，２９  保形板
２０  気密シート
２５  エキスパンションジョイントカバー
【図１】
0003980257.tif 000002
【図２】
0003980257.tif 000003
【図３】
0003980257.tif 000004
【図４】
0003980257.tif 000005
【図５】
0003980257.tif 000006